(57)【要約】【課題】いかなる種類の読み取りデバイスやいかなる電源シーケンスを使用しても、過電圧発生要因に応じて特別な外部回路を付加せずに（ＡＦＥ）を保護するようにする。【解決手段】機器電源のオンを検出すると、ＣＣＤ電源モニターの要否を判断し、必要ならＣＣＤ電源がオンになるまで待機する。ＣＣＤ電源モニターが不要か、ＣＣＤ電源がオンになった場合は、ＡＦＥのモニターの要否を判断し、必要ならＡＦＥ電源がオンになるまで待機する。ＡＦＥモニターが不要か、ＡＦＥ電源がオンになった場合は、ＣＣＤクロックモニターの要否を判断し、モニターが必要ならＣＣＤクロックの出力が完了するまで待機する。ＣＣＤクロックモニターが不要な場合は、いずれの要因もモニターが不要か否かを判断し、不要ならば処理を終了する。いずれかの要因でモニターが必要か、ＣＣＤクロックの出力が完了すると、内部制御部３１により過電圧保護制御部３２を解除する。【選択図】        図３
2008072666.tif 000002
【特許請求の範囲】
【請求項１】
読み取り画像を電気信号に変換する読み取りデバイスと、
前記読み取りデバイスからのアナログ出力信号を入力し、アナログ処理およびデジタル変換処理を行うアナログフロントエンドと、
装置内の過電圧発生要因を検知する過電圧タイミング検知手段と、
前記アナログフロントエンドへの入力信号により発生した過電圧からの保護を有効にするか解除するかを制御する過電圧保護制御手段と、
前記過電圧保護制御手段を任意のタイミングで制御可能な内部制御手段と、
前記過電圧タイミング検知手段で検知された過電圧発生要因に基づいて前記過電圧保護制御手段を制御する外部制御手段と
を備え、前記過電圧タイミング検知手段で検知した過電圧発生要因が、即座に過電圧保護制御を要する場合は前記外部制御手段を使い、任意のタイミングで過電圧保護制御を行う場合は前記内部制御手段を使って前記過電圧保護制御手段を制御することを特徴とする読み取り装置。
【請求項２】
前記過電圧発生要因として、前記読み取りデバイス用の電源、前記アナログフロントエンド用の電源、前記読み取りデバイスへの供給クロック出力開始の少なくとも一つにおいて前記過電圧タイミング検知手段でモニターする必要があって、当該要因が検知された後は、前記内部制御手段を使って前記過電圧保護制御手段に対し過電圧保護制御を解除することを特徴とする請求項１に記載の読み取り装置。
【請求項３】
前記過電圧発生要因として、読み取り動作条件を変更することで前記読み取りデバイスの蓄積時間の切り替え要求が検知されると、前記内部制御手段を使って前記過電圧保護制御手段に対し過電圧保護制御を有効とし、
前記読み取りデバイスの蓄積時間を切り替えた後、必要なライン数が経過すると、前記内部制御手段を使って前記過電圧保護制御手段に対し過電圧保護制御を解除することを特徴とする請求項１に記載の読み取り装置。
【請求項４】
前記過電圧発生要因として、前記読み取りデバイスにおけるカラー／モノクロの読み取りモードの切り替え要求が検知されると、前記内部制御手段を使って前記過電圧保護制御手段に対し過電圧保護制御を有効とし、
モード切り替え信号を切り替えた後、必要なライン数が経過すると、前記内部制御手段を使って前記過電圧保護制御手段に対し過電圧保護制御を解除することを特徴とする請求項１に記載の読み取り装置。
【請求項５】
前記読み取りデバイスおよび前記アナログフロントエンドに対して駆動用信号を生成するタイミング生成モジュールをさらに備え、
前記過電圧発生要因として、前記タイミング生成モジュールに対してリセットをかけるリセット制御信号が検知されると、前記外部制御手段を使って前記過電圧保護制御手段に対し過電圧保護制御を有効とし、
前記タイミング生成モジュールに対してリセットを解除するリセット解除制御信号が検知されると、前記外部制御手段を使って前記過電圧保護制御手段に対し過電圧保護制御を解除することを特徴とする請求項１に記載の読み取り装置。
【請求項６】
前記過電圧発生要因として、前記読み取りデバイスの電源がオンからオフになるのが検知されると、前記外部制御手段を使って前記過電圧保護制御手段に対し過電圧保護制御を有効にすることを特徴とする請求項１に記載の読み取り装置。
【発明の詳細な説明】
【技術分野】
【０００１】
本発明は、読み取り装置に関し、詳細には、ＣＣＤなどの読み取りデバイスからのアナログ信号を処理し、デジタル変換を行うアナログフロントエンド（以下、ＡＦＥともいう）を備えた読み取り装置に関するものである。
【背景技術】
【０００２】
従来の読み取り装置は、ＣＣＤなどの読み取りデバイスから出力されるアナログ信号を信号処理した後、デジタル信号に変換することが行われている。例えば、ラインクランプ制御、黒レベル制御、ゲイン制御、ＡＤ変換制御など様々な信号処理を一つのデバイスで処理可能なＡＦＥは、読み取り装置内で一般的に使用されている。
【０００３】
このＡＦＥデバイスには、ＣＣＤなどの読み取りデバイスからの信号が入力される。しかし、このＣＣＤでは、（１）電源投入時における電源立ち上がりの過渡的な状態、（２）電源オフ時における電源立下りの過渡的な状態、（３）ＣＣＤの読み取りモードをカラーモード／モノクロモードで切り替えた時などに過電圧が発生することがあった。これは、ＣＣＤ出力のオフセット電圧レベルが急激に変化すると、ＣＣＤに蓄積されていた電荷が一気に吐き出され、電源の立ち上がりや立下りなどの過渡的な状況において過電圧が発生することによる。
【０００４】
このように、ＣＣＤで発生した過電圧がＡＦＥに入力されると、ＡＦＥデバイスの破損につながる。特に、現在出回っているＡＦＥは、過電圧対策が不十分であるため、周辺回路を追加するなどの対策をその都度施すしかなかった。
【０００５】
そこで、従来の画像読取アナログ信号のデジタル処理装置では、直流再生回路において画像信号のオフセットレベルをシフトする構成が開示されている（特許文献１参照）。
【０００６】
また、機器の頻繁な電源投入および遮断に基づいて過電圧が印加されることによる、信号処理ＩＣの動作特性の劣化を防止する過電圧保護機能を備えた信号処理ＩＣが開示されている（特許文献２参照）。
【０００７】
さらに、ＣＣＤからの出力信号成分のみをＣＣＤアナログ信号処理ＩＣに入力してデジタルデータに変換する際に、入力端子電圧と処理ＩＣの電源電圧とを比較し、入力端子電圧を処理ＩＣ最大定格値以内に抑えるようにした電圧比較器を有する過電圧保護回路を備えたＣＣＤアナログ信号処理ＩＣが開示されている（特許文献３参照）。
【０００８】
【特許文献１】実開平４−９１４７２号公報
【特許文献２】特開２０００−１０１９３６号公報
【特許文献３】特開２０００−３５３０２１号公報
【発明の開示】
【発明が解決しようとする課題】
【０００９】
しかしながら、上記した特許文献１にあっては、入力信号のオフセットレベルをシフトすることで過電圧のレベルが比較的小さい場合は回避可能なこともあるが、更に大きい過電圧が発生した場合に、全てのケースでＡＦＥを保護可能とはいえないという課題があった。
【００１０】
また、上記した特許文献２、３にあっては、ＣＣＤなどの読み取りデバイスの種類ごとに過電圧発生のタイミングが異なり、各デバイスの電源シーケンス（例えば、電源オフからオンまでの時間、ＣＣＤとＡＦＥの電源オン／オフの時間差など）によっても過電圧の発生タイミングが異なってくることから、過電圧が発生する要因毎に対策用の外部回路を追加しなければならないという課題があった。
【００１１】
本発明は、上記課題に鑑みてなされたものであり、いかなる種類の読み取りデバイスを使用したとしても、いかなる電源シーケンスとなっても、過電圧発生要因に応じた特別な外部回路を付加することなくアナログフロントエンド（ＡＦＥ）を過電圧入力から保護することが可能な読み取り装置を提供することを目的とする。
【課題を解決するための手段】
【００１２】
上記した課題を解決し、目的を達成するために、本発明は、読み取り画像を電気信号に変換する読み取りデバイスと、前記読み取りデバイスからのアナログ出力信号を入力し、アナログ処理およびデジタル変換処理を行うアナログフロントエンドと、装置内の過電圧発生要因を検知する過電圧タイミング検知手段と、前記アナログフロントエンドへの入力信号により発生した過電圧からの保護を有効にするか解除するかを制御する過電圧保護制御手段と、前記過電圧保護制御手段を任意のタイミングで制御可能な内部制御手段と、前記過電圧タイミング検知手段で検知された過電圧発生要因に基づいて前記過電圧保護制御手段を制御する外部制御手段とを備え、前記過電圧タイミング検知手段で検知した過電圧発生要因が、即座に過電圧保護制御を要する場合は前記外部制御手段を使い、任意のタイミングで過電圧保護制御を行う場合は前記内部制御手段を使って前記過電圧保護制御手段を制御することを特徴とする。
【００１３】
また、本発明の好ましい態様によれば、前記過電圧発生要因として、前記読み取りデバイス用の電源、前記アナログフロントエンド用の電源、前記読み取りデバイスへの供給クロック出力開始の少なくとも一つにおいて前記過電圧タイミング検知手段でモニターする必要があって、当該要因が検知された後は、前記内部制御手段を使って前記過電圧保護制御手段に対し過電圧保護制御を解除することが望ましい。
【００１４】
また、本発明の好ましい態様によれば、前記過電圧発生要因として、読み取り動作条件を変更することで前記読み取りデバイスの蓄積時間の切り替え要求が検知されると、前記内部制御手段を使って前記過電圧保護制御手段に対し過電圧保護制御を有効とし、前記読み取りデバイスの蓄積時間を切り替えた後、必要なライン数が経過すると、前記内部制御手段を使って前記過電圧保護制御手段に対し過電圧保護制御を解除することが望ましい。
【００１５】
また、本発明の好ましい態様によれば、前記過電圧発生要因として、前記読み取りデバイスにおけるカラー／モノクロの読み取りモードの切り替え要求が検知されると、前記内部制御手段を使って前記過電圧保護制御手段に対し過電圧保護制御を有効とし、モード切り替え信号を切り替えた後、必要なライン数が経過すると、前記内部制御手段を使って前記過電圧保護制御手段に対し過電圧保護制御を解除することが望ましい。
【００１６】
また、本発明の好ましい態様によれば、前記読み取りデバイスおよび前記アナログフロントエンドに対して駆動用信号を生成するタイミング生成モジュールをさらに備え、前記過電圧発生要因として、前記タイミング生成モジュールに対してリセットをかけるリセット制御信号が検知されると、前記外部制御手段を使って前記過電圧保護制御手段に対し過電圧保護制御を有効とし、前記タイミング生成モジュールに対してリセットを解除するリセット解除制御信号が検知されると、前記外部制御手段を使って前記過電圧保護制御手段に対し過電圧保護制御を解除することが望ましい。
【００１７】
また、本発明の好ましい態様によれば、前記過電圧発生要因として、前記読み取りデバイスの電源がオンからオフになるのが検知されると、前記外部制御手段を使って前記過電圧保護制御手段に対し過電圧保護制御を有効にすることが望ましい。
【発明の効果】
【００１８】
本発明によれば、アナログフロントエンドへ入力される入力信号の過電圧発生要因には様々なものがあるため、過電圧タイミング検知手段を用いて過電圧発生要因を検知し、その検知した過電圧発生要因が任意のタイミングで過電圧保護制御手段を制御する必要がある場合は、内部制御手段を使って制御し、即座に過電圧保護制御手段を制御する必要がある場合は、外部制御手段を使って過電圧保護制御手段を制御する。これにより、過電圧発生要因に応じた適切な過電圧保護制御を行うことができるため、いかなる種類の読み取りデバイスを使用し、いかなる電源シーケンスを採用したとしても、過電圧発生要因に応じた特別な外部回路を付加する必要がなくなり、アナログフロントエンドを過電圧入力から確実に保護することが可能な読み取り装置を提供することができるという効果を奏する。
【発明を実施するための最良の形態】
【００１９】
以下に、本発明にかかる読み取り装置の実施の形態を図面に基づいて詳細に説明する。なお、この実施の形態によりこの発明が限定されるものではない。
【００２０】
（実施の形態）
図１は、本発明の実施の形態にかかるフルカラー複写機の外観を説明する正面図である。図１に示すフルカラー複写機１０は、自動原稿送り装置（ＡＤＦ）１１、操作ボード１２、スキャナ１３、プリンタ１４、給紙バンク１５の各ユニットなどで構成されている。そして、機内には図示しないシステムコントローラがあって、外部のＰＣ（パーソナルコンピュータ）１６との間をＬＡＮ（Local Area Network）で接続されている。このフルカラー複写機１０のシステムコントローラは、さらに通信網（インターネット）にも接続可能で、その通信網を介して不図示の管理センタの管理サーバと通信を行い、データ交換をすることもできる。
【００２１】
また、機内には不図示のファクシミリコントローラ（ＦＣＵ）があって、図１に示すＰＢＸ（交換機）およびＰＮ（公衆通信網）を介してファクシミリ通信を行うことも可能である。
【００２２】
［読み取り装置］
図２は、図１のフルカラー複写機における読み取り装置を説明する構成ブロック図である。図２に示すように、読み取り装置２０は、タイミング生成モジュール部２１、ＣＣＤ駆動バッファ部２２、ＣＣＤ（Charge Coupled Device）２３、アナログ処理部２４、ＡＣ結合用コンデンサ２５、ＡＦＥ２６、および過電圧タイミング検知部２７などを備えている。なお、ＣＰＵ２８は、この読み取り装置２０外に実装されており、読み取り装置２０内のタイミング生成モジュール２１との間でシリアルＩ／Ｆ機能を有している。
【００２３】
タイミング生成モジュール部２１は、ＣＣＤおよびＡＦＥ用の駆動信号を生成して供給すると共に、外部ＣＰＵ２８との間がシリアルインタフェース（Ｉ／Ｆ）で接続され、ＡＦＥレジスタに対して設定等を行なうものである。
【００２４】
ＣＣＤ駆動バッファ部２２は、ＣＣＤをドライブするためのバッファである。また、ＣＣＤ２３は、読み取りデバイスであって、入射光を電気信号に変換する光電変換素子である。本実施の形態では、読み取りデバイスとしてＣＣＤを用いて実施したが、必ずしもこれに限定されず、ＣＩＳ(Contact Image Sensor)など他の読み取りデバイスを用いて実施することも可能である。
【００２５】
アナログ処理部２４は、ＣＣＤ２３から出力されたアナログ信号をＡＦＥ２６へ入力する前に前処理を行なうものである。ここでは、ノイズへの影響を軽減するため、信号のインピーダンスを下げて実施している。
【００２６】
ＡＣ結合用コンデンサ２５は、オフセットレベルをシフトするためのＡＣカップリング用のコンデンサのことである。
【００２７】
ＡＦＥ（アナログフロントエンド）２６は、ＣＣＤ２３から出力されるアナログ信号に対して、クランプ制御機能、オフセット調整機能、ゲイン調整機能、ＡＤ変換機能などの各種処理を行なうためのデバイスである。本実施の形態の特徴は、このＡＦＥ２６に過電圧の入力信号が入力された場合に、その過電圧を制御して抑制する機能を併せ持っている。
【００２８】
過電圧タイミング検知部２７は、本発明の特徴的な構成要件として読み取り装置２０内における過電圧発生要因を検知するものである。過電圧発生要因がＣＣＤ電源の場合は、ＣＣＤ電圧を分圧した電圧を過電圧タイミング検知部２７に入力することにより検知可能となる。
【００２９】
過電圧発生要因がタイミング生成モジュール２１からＣＣＤデバイスへリセット信号を供給する場合は、リセット信号を過電圧発生タイミング検知部２１に入力することにより検知可能となる。
【００３０】
また、過電圧発生要因を検知し、即座に処理が必要な場合は、過電圧タイミング検知部２７から後述するＡＦＥ２６内の外部制御部３０（図３参照）に対して信号を入力して、過電圧保護制御部３２による保護／解除の制御を有効にする。
【００３１】
一方、過電圧発生要因を検知しても、保護を有効にするまでに比較的時間がある場合、または、保護を有効にする時に時間管理が必要な場合は、過電圧タイミング検知部２７からＣＰＵ２８に対して検知を通知し、ＣＰＵ２８とタイミング生成モジュール部２１との間のシリアルＩ／Ｆを介して後述する内部制御部３１に対し、過電圧保護制御部３２による過電圧保護制御の有効／解除を指示する。
【００３２】
［ＡＦＥ］
図３は、図２の読み取り装置におけるＡＦＥ内部の構成を説明するブロック図である。図３に示すように、ＡＦＥ２６の内部は、外部制御部３０、内部制御部３１、および過電圧保護制御部３２などで構成されている。
【００３３】
外部制御部３０は、過電圧保護制御部３２をコントロールするための外部端子である。この外部端子は、過電圧タイミング検知部２７で検出された過電圧発生要因が過電圧保護制御部３２に対して即座に制御する必要がある場合に、過電圧タイミング検知部２７から外部制御部３０に対して信号入力することにより、過電圧保護制御部３２の過電圧入力保護に対する有効／解除を制御するものである。
【００３４】
内部制御部３１は、過電圧保護制御部３２をコントロールするための内部レジスタである。この内部レジスタは、過電圧タイミング検知部２７で検出された過電圧発生要因が、要因を検知しても保護を有効にするまでに比較的時間があるか、保護を有効にする時に時間管理が必要な場合のように、任意のタイミングで過電圧保護制御を行う場合に、過電圧タイミング検知部２７からＣＰＵ２８に検知結果を通知すると、ＣＰＵ２８がタイミング生成モジュール部２１へのシリアルＩ／Ｆを介して内部制御部３１に対して過電圧保護制御部３２への過電圧入力保護に対する有効／解除を制御するものである。
【００３５】
過電圧保護制御部３２は、ＡＦＥ２６の過電圧入力保護に対する有効／解除を制御するものである。外部制御部３０である外部端子、および内部制御部３１である内部レジスタへの設定により、過電圧保護制御を有効／解除することが可能となる。
【００３６】
［ＡＣ結合用コンデンサ］
図４は、図２のＡＣ結合用コンデンサについて説明する図である。読み取りデバイスであるＣＣＤ２３は、原稿からの反射光を電気信号に変換してアナログ信号として出力するものである。この読み取りデバイスの電源電圧は、一般的に１０〜１２Ｖ程度であって、出力信号には５Ｖ程度の直流オフセット電圧（ＣＣＤ内部オフセット電圧）が含まれた形で出力される。
【００３７】
一方、図２に示す後段回路であるＡＦＥ２６の電源電圧は、３．３Ｖが一般的であるため、読み取りデバイス（ＣＣＤ２３）から出力されるアナログ信号をそのまま入力するとＡＦＥ２６を破損することになりかねない。このため、ＣＣＤ２３の出力信号は、ＡＣ結合用コンデンサ２５を介してＡＦＥ２６に入力させるのが一般的である。これにより、図４に示すように、アナログ信号のオフセットレベルをＣＣＤ基準のオフセットレベルからＡＦＥ内部基準のオフセットレベルに変換することが可能となる。
【００３８】
しかしながら、上記したようなアナログ信号の急激なレベル変動が発生すると、この変動量はＡＣカップリングを介してＡＦＥ２６に入力され、ＡＦＥの入力規定レベルを超える場合がある。本実施の形態では、このような過電圧入力からもＡＦＥ２６を保護するものである。
【００３９】
本実施の形態においては、読み取りデバイス（ＣＣＤ２３）から出力されるアナログ信号をアナログフロントエンド（ＡＦＥ２６）に入力する際に、過電圧入力からＡＦＥ２６を保護するように制御する。以下、その制御手順について［制御例１］〜［制御例５］を使って説明する。
【００４０】
［制御例１］
図５は、本実施の形態にかかる読み取り装置の制御例１を説明するフローチャートである。まず、図２、図３および図５に示すように、ＣＰＵ２８が機器の電源がオンされていることを検出すると（ステップ１００）、ＣＣＤ用の電源が過電圧発生要因として過電圧タイミング検知部２７でモニターを要するか否かが判断される（ステップ１０１）。ここで、モニターが必要な場合は、ステップ１０２に移行して、ＣＣＤ電源がオフからオンになるまで待機する。
【００４１】
上記ステップ１０１でＣＣＤ電源のモニターが不要であるか、ステップ１０２でＣＣＤ電源がオフからオンになった場合は、ステップ１０３において、ＡＦＥ用の電源が過電圧発生要因として過電圧タイミング検知部２７でモニターを要するか否かが判断される。ここで、モニターが必要な場合は、ステップ１０４に移行して、ＡＦＥ電源がオフからオンになるまで待機する。
【００４２】
上記ステップ１０３でＡＦＥ電源モニターが不要であるか、ステップ１０４でＡＦＥ電源がオフからオンになった場合は、ステップ１０５において、ＣＣＤ２３への供給クロックの出力開始を過電圧発生要因として過電圧タイミング検知部２７でモニターを要するか否かが判断される。ここで、モニターが必要な場合は、ステップ１０６に移行し、ＣＣＤ２３への供給クロックの出力が完了するまで待機する。
【００４３】
また、上記ステップ１０５において、ＣＣＤ２３への供給クロックの出力開始のモニターが不要な場合は、ステップ１０８に移行し、上述したいずれの過電圧発生要因（ステップ１０１、１０３、１０５）も過電圧タイミング検知部２７でモニターが不要か否かを判断する。ステップＳ１０８において、いずれの要因もモニターが不要な場合、すなわち、過電圧発生要因が発生しても無視してもよい場合は、ＡＦＥ２６に対して過電圧入力の恐れがないため、ＡＦＥ２６の過電圧保護制御部３２を使った過電圧保護制御が行われず、処理が終了する。
【００４４】
上記ステップ１０８において、上述したいずれかの過電圧発生要因においてモニターが必要であることを過電圧タイミング検知部２７が検知すると、ＣＰＵ２８はタイミング生成モジュール部２１との間のシリアルＩ／Ｆを介して、内部制御部３１により過電圧保護制御部３２に対して過電圧保護制御を解除する（ステップＳ１０７）。また、ステップ１０６においてＣＣＤへの供給クロックの出力が完了した場合も、同様にステップＳ１０７の処理が行われる。
【００４５】
以上説明したように、制御例１によれば、機器の電源がオンされると、過電圧タイミング検知部２７によりモニターを必要とする過電圧発生要因が発生するおそれがある。この制御例１における過電圧発生要因は、「要因を検知しても保護を有効にするまでに比較的時間がある場合」に該当し、任意のタイミングで過電圧保護制御を行う必要があることから、内部制御部３１を使って過電圧保護制御部３２を制御する。制御例１では、モニターを要する過電圧発生要因が少なくとも１つ発生し、その完了を確認した後は、過電圧入力が発生するおそれがないため、過電圧保護制御を解除することにより、通常の読み取りが可能な状態となる。このように、いかなる種類の読み取りデバイスを使用し、いかなる電源シーケンスを採用したとしても、任意のタイミングで過電圧保護制御を行う必要がある場合は、内部制御部３１を使って過電圧保護制御部３２を制御することにより、特別な外部回路を付加することなくＡＦＥを確実に保護することが可能な読み取り装置を提供することができる。
【００４６】
［制御例２］
図６は、本実施の形態にかかる読み取り装置の制御例２を説明するフローチャートである。まず、図２、図３および図６に示すように、カラー／モノクロの読み取り動作条件を変更することにより、読み取りデバイスであるＣＣＤ２３の蓄積時間（ライン周期）の切り替え要求をＣＰＵ２８が検出すると（ステップＳ２００）、この過電圧保護要因は、「過電圧保護を有効にする時に時間管理が必要な場合」に該当するため、ＣＰＵ２８が読み取り装置２０内のタイミング生成モジュール２１との間のシリアルＩ／Ｆを介して、次ラインより内部制御部３１を使って過電圧保護制御部３２を有効にするように制御する（ステップＳ２０１）。
【００４７】
過電圧保護制御部３２が有効になるように制御したＣＰＵ２８は、タイミング生成モジュール２１との間のシリアルＩ／Ｆを介して、蓄積時間を切り替える（ステップＳ２０２）。過電圧保護制御部３２を有効にすると、ＡＦＥ２６へ過電圧入力があってもこれを保護し、過電圧入力によりＡＦＥ２６が破壊されるのを防ぐことができる。
【００４８】
蓄積時間を切り替えた直後は、過電圧入力が継続されるため、ライン数をカウントして、必要なライン数が経過するまで過電圧保護制御部３２を有効のままとし（ステップＳ２０３）、ＡＦＥ２６を継続して保護する。
【００４９】
必要なライン数が経過した後は、過電圧入力のおそれがなくなるため、内部制御部３１を使って過電圧保護制御部３２の過電圧保護制御を解除することにより（ステップＳ２０４）、通常の読み取りが可能な状態となる。
【００５０】
以上説明したように、制御例２によれば、読み取り動作条件の変更によるＣＣＤ２３の蓄積時間の切り替え要求があると、これを過電圧発生要因として検知し、「過電圧保護を有効にする時に時間管理が必要な場合」に該当することから、内部制御部３１を使って過電圧保護制御部３２を有効にしてから蓄積時間を切り替えるため、ＡＦＥ２６を確実に保護することができる。また、蓄積時間の切り替え後、必要なライン数が経過した場合は、内部制御部３１を使って過電圧保護制御部３２を解除するため、通常の読み取りが可能となる。このように、いかなる種類の読み取りデバイスを使用し、いかなる電源シーケンスを採用したとしても、任意のタイミングで過電圧保護制御を行う必要がある場合は、内部制御部３１を使って過電圧保護制御部３２を制御することにより、特別な外部回路を付加することなくＡＦＥを確実に保護することが可能な読み取り装置を提供することができる。
【００５１】
［制御例３］
図７は、４ラインＣＣＤの一構成例を説明する図であり、図８は、モノクロ読み取りモードからカラー読み取りモードへの切り替え時におけるＣＣＤ出力とＡＦＥ入力との関係を説明する図であり、図９は、本実施の形態にかかる読み取り装置の制御例３を説明するフローチャートである。
【００５２】
この制御例３では、図７に示す低速機などに使用される４ラインＣＣＤを搭載したシステムを採用している。この４ラインＣＣＤの構成は、図７に示すように、Ｒｅｄ、Ｇｒｅｅｎ、Ｂｌｕｅの３つのカラー読み取り用のフォトダイオード２３３〜２３５と、２つのモノクロ読み取り用のフォトダイオード２３１、２３２とを備えている。しかし、この４ラインＣＣＤの出力信号は、３本分しかなく、カラー読み取り用の信号とモノクロ読み取り用の信号が共通端子から出力される。つまり、４ラインＣＣＤへの信号を切り替えることによって、カラー／モノクロ出力の切り替えを可能としている。
【００５３】
しかし、このカラー／モノクロのモードの切り替え時に、ＡＦＥ２６に対して過電圧入力が発生することがある。図８では、モノクロ読み取りモードからカラー読み取りモードへの切り替え時の様子を示しているが、カラー読み取りモードに切り替えた瞬間にカラー読み取り用のフォトダイオード２３３〜２３５に蓄積された電荷が一気に出力されて、ＣＣＤ出力レベルが大きく変動していることがわかる。
【００５４】
このＣＣＤ出力レベルの変動分が後段回路であるＡＦＥ２６にそのまま入力されると、図８中に破線矢印で示したＡＦＥ２６の入力電圧規定を満足することができない（ＡＦＥ入力規定を外れた）過電圧入力が発生する。
【００５５】
そこで、図９のフローチャートに示すように、カラー／モノクロの読み取りモード変更の要因（例えば、図１の操作ボード１２上のモード切り替えキー押下）をＣＰＵ２８が検出すると（ステップＳ３００）、この過電圧保護要因は、「過電圧保護を有効にする時に時間管理が必要な場合」に該当するため、ＣＰＵ２８が読み取り装置２０内のタイミング生成モジュール２１との間のシリアルＩ／Ｆを介して、次ラインより内部制御部３１を使って過電圧保護制御部３２を有効にするように制御する（ステップＳ３０１）。
【００５６】
過電圧保護制御部３２が有効になるように制御したＣＰＵ２８は、タイミング生成モジュール２１との間のシリアルＩ／Ｆを介して、モード切り替え信号を切り替える（ステップＳ３０２）。過電圧保護制御部３２を有効にすると、ＡＦＥ２６へ過電圧入力があってもこれを保護し、過電圧入力によりＡＦＥ２６が破壊されるのを防ぐことができる。
【００５７】
モード切り替え信号の切り替え直後は、過電圧入力が継続されるため、ライン数をカウントして、必要なライン数が経過するまで過電圧保護制御部３２を有効のままとし（ステップＳ３０３）、ＡＦＥ２６を継続して保護する。
【００５８】
ステップＳ３０３において、必要なライン数が経過した後は、過電圧入力のおそれがなくなるため、内部制御部３１を使って過電圧保護制御部３２の過電圧保護制御を解除することにより（ステップＳ３０４）、通常の読み取りが可能な状態となる。
【００５９】
以上説明したように、制御例３によれば、４ラインＣＣＤのモノクロ読み取りモードからカラー読み取りモードへのモード切り替えキーが押下されると、これを過電圧発生要因として検知し、「過電圧保護を有効にする時に時間管理が必要な場合」に該当することから、内部制御部３１を使って過電圧保護制御部３２を有効にしてからモード切替信号を切り替えるため、ＡＦＥ２６を確実に保護することができる。また、モード切り替え信号切り替え後、必要なライン数が経過した場合は、内部制御部３１を使って過電圧保護制御部３２を解除するため、通常の読み取りが可能となる。このように、いかなる種類の読み取りデバイスを使用し、いかなる電源シーケンスを採用したとしても、任意のタイミングで過電圧保護制御を行う必要がある場合は、内部制御部３１を使って過電圧保護制御部３２を制御することにより、特別な外部回路を付加することなくＡＦＥを確実に保護することが可能な読み取り装置を提供することができる。
【００６０】
［制御例４］
図１０は、本実施の形態にかかる読み取り装置の制御例４を説明するフローチャートである。まず、図３に示すように、ＣＰＵ２８は読み取り装置２０内のタイミング生成モジュール２１に対してリセットをかけることが可能である。このリセット制御（リセット信号）を過電圧タイミング検知部２７が検知すると（ステップＳ４００）、この過電圧保護要因は、「過電圧発生要因を検知すると、即座に処理が必要な場合」に該当するため、過電圧タイミング検知部２７が即座にＡＦＥ２６内の外部制御部３０を使って過電圧保護制御部３２を有効とするように制御する（ステップＳ４０１）。過電圧保護制御部３２を即座に有効にすると、ＡＦＥ２６へ過電圧入力があってもこれを保護し、過電圧入力によりＡＦＥ２６が破壊されるのを防ぐことができる。
【００６１】
続いて、過電圧タイミング検知部２７は、リセット解除制御（リセット解除信号）を検知すると（ステップＳ４０２）、この過電圧保護要因は、「過電圧発生要因を検知すると、即座に処理が必要な場合」に該当するため、過電圧タイミング検知部２７が即座にＡＦＥ２６内の外部制御部３０を使って過電圧保護制御部３２を解除するように制御する（ステップＳ４０３）。これにより、読み取り装置２０は、通常の読み取りが可能な状態になる。
【００６２】
以上説明したように、制御例４によれば、過電圧発生要因としてタイミング生成モジュール２１に対してリセットをかける場合は、「過電圧発生要因を検知すると、即座に処理が必要な場合」に該当するため、過電圧タイミング検知部２７から外部制御部３０に対して信号を入力し、過電圧保護制御部３２を即座に有効とするため、ＡＦＥ２６を過電圧入力から確実に保護することができる。また、タイミング生成モジュール２１へリセット解除する場合も同様であって、過電圧タイミング検知部２７から外部制御部３０に対して信号を入力し、過電圧保護制御部３２を即座に解除するため、通常の読み取りが可能となる。このように、いかなる種類の読み取りデバイスを使用し、いかなる電源シーケンスを採用したとしても、即座に過電圧保護制御を行う必要がある場合は、外部制御部３０を使って過電圧保護制御部３２を制御することにより、特別な外部回路を付加することなくＡＦＥを確実に保護することが可能な読み取り装置を提供することができる。
【００６３】
［制御例５］
図１１は、本実施の形態にかかる読み取り装置の制御例５を説明するフローチャートである。まず、図２に示すように、過電圧タイミング検知部２７によりＣＣＤ電源がオン状態からオフ状態になるのを検知すると（ステップＳ５００）、この過電圧保護要因は、「過電圧発生要因を検知すると、即座に処理が必要な場合」に該当するため、過電圧タイミング検知部２７が即座にＡＦＥ２６内の外部制御部３０を使って過電圧保護制御部３２を有効とするように制御する（ステップＳ５０１）。過電圧保護制御部３２を即座に有効にすると、ＡＦＥ２６へ過電圧入力があってもこれを保護し、過電圧入力によりＡＦＥ２６が破壊されるのを防ぐことができる。
【００６４】
以上説明したように、制御例５によれば、過電圧発生要因としてＣＣＤ電源がオン状態からオフ状態になる場合は、「過電圧発生要因を検知すると、即座に処理が必要な場合」に該当するため、過電圧タイミング検知部２７から外部制御部３０に対して信号を入力し、過電圧保護制御部３２を即座に有効にするため、ＡＦＥ２６を過電圧入力から確実に保護することができる。このように、いかなる種類の読み取りデバイスを使用し、いかなる電源シーケンスを採用したとしても、即座に過電圧保護制御を行う必要がある場合は、外部制御部３０を使って過電圧保護制御部３２を制御することにより、特別な外部回路を付加することなくＡＦＥを確実に保護することが可能な読み取り装置を提供することができる。
【産業上の利用可能性】
【００６５】
本発明に係る読み取り装置は、複写機、ファクシミリ、デジタル複合機（ＭＦＰ）等に広く利用可能である。
【図面の簡単な説明】
【００６６】
【図１】本発明の実施の形態にかかるフルカラー複写機の外観を説明する正面図である。
【図２】図１のフルカラー複写機における読み取り装置を説明する構成ブロック図である。
【図３】図２の読み取り装置におけるＡＦＥ内部の構成を説明するブロック図である。
【図４】図２のＡＣ結合用コンデンサについて説明する図である。
【図５】本実施の形態にかかる読み取り装置の制御例１を説明するフローチャートである。
【図６】本実施の形態にかかる読み取り装置の制御例２を説明するフローチャートである。
【図７】４ラインＣＣＤの一構成例を説明する図である。
【図８】モノクロ読み取りモードからカラー読み取りモードへの切り替え時におけるＣＣＤ出力とＡＦＥ入力との関係を説明する図である。
【図９】本実施の形態にかかる読み取り装置の制御例３を説明するフローチャートである。
【図１０】本実施の形態にかかる読み取り装置の制御例４を説明するフローチャートである。
【図１１】本実施の形態にかかる読み取り装置の制御例５を説明するフローチャートである。
【符号の説明】
【００６７】
１０  フルカラー複写機
１１  ＡＤＦ
１２  操作ボード
１３  スキャナ
１４  プリンタ
１５  給紙バンク
１６  パーソナルコンピュータ（ＰＣ）
２０  読み取り装置
２１  タイミング生成モジュール部
２２  ＣＣＤ駆動バッファ部
２３  ＣＣＤ
２４  アナログ処理部
２５  ＡＣ結合用コンデンサ
２６  ＡＦＥ
２７  過電圧タイミング検知部
２８  ＣＰＵ
３０  外部制御部
３１  内部制御部
３２  過電圧保護制御部
２３１  フォトダイオード（モノクロ読み取り用）
２３２  フォトダイオード（モノクロ読み取り用）
２３３  フォトダイオード（カラー読み取り用：Ｂ）
２３４  フォトダイオード（カラー読み取り用：Ｇ）
２３５  フォトダイオード（カラー読み取り用：Ｒ）
【図１】
2008072666.tif 000003
【図２】
2008072666.tif 000004
【図３】
2008072666.tif 000005
【図４】
2008072666.tif 000006
【図５】
2008072666.tif 000007
【図６】
2008072666.tif 000008
【図７】
2008072666.tif 000009
【図８】
2008072666.tif 000010
【図９】
2008072666.tif 000011
【図１０】
2008072666.tif 000012
【図１１】
2008072666.tif 000013